(57)【要約】【課題】天井材の下面に露出する鍔部の周りに光を照射して明暗差を小さくできる照明器具を提供する。【解決手段】天井材１１に設けられた取付孔１２から天井材１１の裏側に配置可能な器具本体２０には、発光部２１の回路基板２８が支持されている。また、器具本体２０には、発光部２１を囲むとともに天井材１１の表面１１１における取付孔１２の周部に接触可能な鍔部２６が支持されている。そして、発光部２１は、回路基板２８の厚み方向に沿って回路基板２８から離れる方向に光を照射する第１ＬＥＤ２９１と、鍔部２６に向かって光を照射する第２ＬＥＤ２９２とを有する。このため、鍔部２６の周りに光を照射して、照明器具１０Ａと周囲との明暗差を小さくすることができる。【選択図】図２
2014222584.tif 000002
【特許請求の範囲】
【請求項１】
天井材に設けられた取付孔から前記天井材の裏側に配置可能な器具本体と、
前記器具本体に回路基板が支持された発光部と、
前記器具本体に支持され、前記発光部を囲むとともに前記天井材の表面における前記取付孔の周部に接触可能な鍔部と、を備え、
前記発光部は、前記回路基板の厚み方向に沿って前記回路基板から離れる方向に光を照射する第１ＬＥＤと、前記鍔部に向かって光を照射する第２ＬＥＤとを有する照明器具。
【請求項２】
請求項１に記載の照明器具において、
前記第２ＬＥＤは、前記鍔部に沿って配置されている照明器具。
【請求項３】
請求項１または請求項２に記載の照明器具において、
前記回路基板と前記鍔部との間に傾斜して設けられた反射面を有し、
前記第２ＬＥＤは、光軸が前記鍔部の表面よりも前記回路基板から離れた側に配置されている照明器具。
【発明の詳細な説明】
【技術分野】
【０００１】
本発明は、例えば天井材等に設けられた取付孔に取り付けて、主に下方を照明する照明器具に関するものである。
【背景技術】
【０００２】
従来、天井材に設けられた取付孔に取り付ける照明器具が知られている（例えば、特許文献１参照）。
図８（Ａ）に示すように、照明器具１００は、天井、壁面等に埋め込まれる埋込型であり、発光装置１０１（図８（Ｂ）参照）および発光装置１０１を点灯させる電源ユニット（図示省略）を収容する本体部１０２を備える。
また、天井等に形成された開口部に嵌め込まれ、光源等を保持する枠体部１０３と、商用電源から電源供給を受けるための電源線が接続される端子台１０４と、枠体部１０３を天井等に固定するための取付バネ１０５と、を備える。
【０００３】
また、照明器具１００は、図８（Ｂ）に示すように、基板１０６と、基板１０６に実装されたＬＥＤ１０７の熱を放熱するためのヒートシンク部材１０８と、基板１０６とヒートシンク部材１０８との間に設けられる保持部材１０９とを備える。また、照明器具１００は、ＬＥＤ１０７を保護する保護カバー１１０を備える。
図８（Ｃ）に示すように、ＬＥＤ１０７は、基板１０６の略中央領域に色温度の低いＬＥＤ１０７Ｃが配されている。また、これらＬＥＤ１０７Ｃよりも色温度が高いＬＥＤ１０７ＡおよびＬＥＤ１０７Ｂが、ＬＥＤ１０７Ｃの周囲に、同種のものが隣り合わないように互い違いに配されている。
【先行技術文献】
【特許文献】
【０００４】
【特許文献１】特開２０１２−１１３９５８号公報（第２図）
【発明の概要】
【発明が解決しようとする課題】
【０００５】
しかしながら、前述した特許文献１に記載の従来の照明器具１００においては、天井材の下面に枠体部１０３の鍔部１０３Ａが当接して取り付けられる。
この鍔部１０３Ａには、ＬＥＤ１０７を取り付けることができないため、鍔部１０３Ａの周りが暗くなり照明器具１００と周囲との明暗差が大きくなるという問題があった。
【０００６】
本発明は、従来の問題を解決するためになされたもので、天井材の下面に露出する鍔部の周りに光を照射して明暗差を小さくできる照明器具を提供することを目的とする。
【課題を解決するための手段】
【０００７】
本発明の照明器具は、天井材に設けられた取付孔から前記天井材の裏側に配置可能な器具本体と、前記器具本体に回路基板が支持された発光部と、前記器具本体に支持され、前記発光部を囲むとともに前記天井材の表面における前記取付孔の周部に接触可能な鍔部と、を備え、前記発光部は、前記回路基板の厚み方向に沿って前記回路基板から離れる方向に光を照射する第１ＬＥＤと、前記鍔部に向かって光を照射する第２ＬＥＤとを有するものである。
【０００８】
また、本発明の照明器具は、前記第２ＬＥＤは、前記鍔部に沿って配置されているものである。
【０００９】
さらに、本発明の照明器具は、前記回路基板と前記鍔部との間に傾斜して設けられた反射面を有し、前記第２ＬＥＤは、光軸が前記鍔部の表面よりも前記回路基板から離れた側に配置されているものである。
【発明の効果】
【００１０】
本発明では、発光部は、回路基板の厚み方向に沿って回路基板から離れる方向に光を照射する第１ＬＥＤと、鍔部に向かって光を照射する第２ＬＥＤとを有する。このため、鍔部の周りに光を照射して鍔部を明るくし、照明器具と周囲との明暗差を小さくすることができるという効果を有する照明器具を提供できる。
【図面の簡単な説明】
【００１１】
【図１】本発明に係る第１実施形態の照明器具の縦断面図
【図２】ＬＥＤパッケージおよびセードの縦断面図
【図３】第２ＬＥＤユニットと鍔部との関係を示す拡大断面図
【図４】（Ａ）は第１ＬＥＤユニットの断面図であり、（Ｂ）は第２ＬＥＤユニットの断面図であり、（Ｃ）は第２ＬＥＤユニットの変形例としての第３ＬＥＤユニットを示す断面図
【図５】本発明に係る第２実施形態の照明器具の要部を示す図３相当の拡大断面図
【図６】本発明に係る第３実施形態の照明器具の要部を示す図２総統の縦断面図
【図７】本発明に係る第４実施形態の照明器具のＬＥＤパッケージの縦断面図
【図８】（Ａ）は従来の照明器具を上方から見た斜視図であり、（Ｂ）は分解斜視図であり、（Ｃ）は発光装置の正面図
【発明を実施するための形態】
【００１２】
（第１実施形態）
以下、第１実施形態の照明器具について、図面を用いて説明する。
図１に示すように、第１実施形態の照明器具１０Ａは、被取付面である天井材１１に設けられた取付孔１２に取り付けて、下方を照らすダウンライトとして用いることができる。
【００１３】
照明器具１０Ａは、取付孔１２から天井材１１の裏側に配置可能な器具本体２０を有する。器具本体２０は、発光部であるＬＥＤパッケージ２１Ａを有する灯体２２と、灯体２２の下側に一体的に設けられた枠部２３を有する。
灯体２２は、全体円柱形状の外周壁２２１を有しており、外周壁２２１の外側には、ＬＥＤパッケージ２１Ａが発する熱を外部に放出するための放熱板２２２が多数設けられている。
【００１４】
枠部２３は、灯体２２の外周壁２２１の下端に連続して設けられている筒体２５と、筒体２５の下端部設けられた鍔部２６を有する。鍔部２６は、ＬＥＤパッケージ２１Ａを囲むとともに、天井材１１の表面である天井面１１１において、取付孔１２の周部に接触する。
筒体２５は、ＬＥＤパッケージ２１Ａから離れる方向（すなわち、下方）に向かって拡開する円錐台形状を呈している。
【００１５】
鍔部２６は、筒体２５の下端部の周囲に設けられており、外側に突出するリング板状を呈している。鍔部２６の外径は、取付孔１２の内径よりも大きく、照明器具１０Ａを取付孔１２に取り付けた状態で、天井材１１の天井面１１１に当接する。
器具本体２０の底板２４と鍔部２６との間には、反射面３２が設けられている。反射面３２は、底板２４の外周から鍔部２６側に向かうに伴って天井面１１１から離れる方向、すなわち下方へ下がるように傾斜している。
なお、反射面３２および鍔部２６の下面は、光を反射するように処理されている。
【００１６】
筒体２５の外周面２５１には、枠部２３を取付孔１２に固定するための取付ばね２７が設けられている。取付ばね２７は、筒体２５の外周面２５１に沿って、複数個（例えば３個）略等間隔で設けられている。
取付ばね２７は、常時下方（図１において矢印Ａ方向）に付勢されており、鍔部２６の上面２６２と取付ばね２７との間に天井材１１を挟むことにより、照明器具１０Ａを取付孔１２に取り付ける。
【００１７】
器具本体２０の下端面には底板２４が一体的に設けられている。底板２４の下面２４１（図３参照）には、ＬＥＤパッケージ２１Ａが取り付けられている。
また、天井材１１の裏面１１２には、電源部５０が載置されている。電源部５０は、天井裏に配線されている商用電源（図示省略）に接続されている。電源部５０は、電線５１によって灯体２２のＬＥＤパッケージ２１Ａに接続されており、点灯電力をＬＥＤパッケージ２１Ａに供給する。
なお、ここでは、電源部５０を灯体２２と別個に設けて、天井材１１の上面に載置しているが、灯体２２に電源部５０を一体的に取り付けることもできる。
【００１８】
器具本体２０の下側には、ＬＥＤパッケージ２１Ａの前方（下方）を覆うとともに、鍔部２６の外側まで覆うセード４０が取り付けられている。
セード４０は、乳白色の透光性を有する樹脂で形成されている。
【００１９】
図１および図２に示すように、ＬＥＤパッケージ２１Ａは、灯体２２の底板２４の下面２４１に取り付けられる円板状のパッケージ基板２８と、パッケージ基板２８に実装されるＬＥＤユニット２９を有する。
図２および図４（Ａ）〜（Ｃ）に示すように、ＬＥＤユニット２９では、ＬＥＤチップ３３は矩形板状の基台３１に取り付けられており、基台３１を介してパッケージ基板２８の実装面２８１に実装されている。
【００２０】
ＬＥＤユニット２９は、パッケージ基板２８の中心ＣＰに対して略同心円状に複数列（ここでは、４列）実装されている。
なお、パッケージ基板２８の中心ＣＰに対して外側の列において隣接するＬＥＤユニット２９の間隔と、内側の列において隣接するＬＥＤユニット２９の間隔が、略同等になるように配置するのが望ましい。
従って、厳密に同心円状に円形に配置する場合に限定されない。
【００２１】
ＬＥＤパッケージ２１Ａは、第１ＬＥＤユニット（第１ＬＥＤ）２９１と、第２ＬＥＤユニット（第２ＬＥＤ）２９２とを有する。
図４（Ａ）に示すように、第１ＬＥＤユニット２９１は、矩形板状の基台３１の下面３１１にＬＥＤチップ３３が取り付けられており、パッケージ基板２８の厚み方向に沿ってパッケージ基板２８から離れる方向、すなわち、下方に光を照射する。
【００２２】
また、図４（Ｂ）に示すように、第２ＬＥＤユニット２９２は、基台３１の側面３１２にＬＥＤチップ３３が取り付けられており、パッケージ基板２８の実装面２８１と平行方向に光を照射する。
第２ＬＥＤユニット２９２は、第１ＬＥＤユニット２９１を９０度回転させて縦方向に実装面２８１に取り付けて使用することができる。この場合、基台３１の直行する２面に接続部を設けることにより、同じＬＥＤユニット２９を兼用することができる。
【００２３】
図２および図３に示すように、第２ＬＥＤユニット２９２は、パッケージ基板２８の外周部において、鍔部２６に沿って配置されている。そして、第２ＬＥＤユニット２９２は鍔部２６に向かって、すなわち、外側に向かって光を照射するように実装されている。
さらに、図３に示すように、第２ＬＥＤユニット２９２は、光軸ＬＢ１が反射面３２に当たらずに、鍔部２６の下面（表面）２６１よりもパッケージ基板２８から離れた側（すなわち下方）を通過するように実装されている。
【００２４】
なお、第２ＬＥＤユニット２９２は、前述したようなパッケージ基板２８の実装面２８１と平行方向に光を照射する場合に限らない。図４（Ｃ）に示すように、第２ＬＥＤユニット２９２の変形例として、基台３１に設けられた傾斜面３１３にＬＥＤチップ３３を取り付けて、実装面２８１と交差する斜め下方に光を照射する第３ＬＥＤユニット２９３を用いることもできる。
この場合にも、第３ＬＥＤユニット２９３は、鍔部２６側に光を照射することができる。
また、パッケージ基板２８の外周部に設けられている第２ＬＥＤユニット２９２の内側には、第１ＬＥＤユニット２９１が適宜の間隔で配置されている。
【００２５】
次に、第１実施形態の照明器具１０Ａの作用効果について説明する。
図１に示すように、天井材１１に設けられた取付孔１２から天井材１１の裏側に配置可能な器具本体２０には、ＬＥＤパッケージ２１Ａのパッケージ基板２８が支持されている。また、器具本体２０には、ＬＥＤパッケージ２１Ａを囲むとともに天井材１１の天井面１１１における取付孔１２の周部に接触可能な鍔部２６が支持されている。
【００２６】
そして、図２に示すように、ＬＥＤパッケージ２１Ａは、パッケージ基板２８の厚み方向に沿ってパッケージ基板２８から離れる方向に光を照射する第１ＬＥＤユニット２９１と、鍔部２６に向かって光を照射する第２ＬＥＤユニット２９２とを有する。
このため、ＬＥＤユニット２９は、電源部５０から点灯電力を供給されると、第２ＬＥＤユニット２９２が鍔部２６の周りに光を照射するので鍔部２６が明るくなり、照明器具１０Ａと周囲との明暗差を小さくすることができる。
【００２７】
また、鍔部２６に向かって光を照射する第２ＬＥＤユニット２９２は、鍔部２６に沿って配置されているので、全周にわたって鍔部２６に光を照射できる。
【００２８】
さらに、図３に示すように、パッケージ基板２８と鍔部２６との間に、傾斜した反射面３２を設けるとともに、光軸ＬＢ１が鍔部２６の下面２６１よりもパッケージ基板２８から離れた側を通過するように、第２ＬＥＤユニット２９２を配置した。
このため、鍔部２６に向かう第２ＬＥＤユニット２９２の光軸ＬＢ１が反射面３２によって邪魔されないので、鍔部２６を明るくすることができる。
また、図２に示すように、第２ＬＥＤユニット２９２の光軸ＬＢ１よりも器具本体２０側に照射された光ＬＢ２は、反射面３２に当たって下方へ反射（光ＬＢ３）されるので、第２ＬＥＤユニット２９２からの光を有効に照明に用いることができる。
【００２９】
（第２実施形態）
次に、第２実施形態の照明器具について説明する。
なお、前述した第１実施形態の照明器具１０Ａと共通する部位には同じ符号を付して、重複する説明を省略することとする。
図５に示すように、第２実施形態の照明器具１０Ｂでは、鍔部２６に沿って配置され、鍔部２６に向かって光を照射する第２ＬＥＤユニット２９２の光軸ＬＢ１が、鍔部２６の下面２６１位置の高さにある。
【００３０】
以上、説明した第２実施形態の照明器具１０Ｂによれば、鍔部２６に沿って配置された第２ＬＥＤユニット２９２からの光ＬＢ１は、一部が反射面３２に照射されて、下方へ反射する。また、一部は、鍔部２６の下面２６１に沿って鍔部２６の外側に照射されるので、鍔部２６が明るくなり、照明器具１０Ｂと周囲との明暗差を小さくすることができる。
【００３１】
（第３実施形態）
次に、第３実施形態の照明器具について説明する。
なお、前述した第１実施形態の照明器具１０Ａおよび第２実施形態の照明器具１０Ｂと共通する部位には同じ符号を付して、重複する説明を省略することとする。
図６に示すように、第３実施形態の照明器具１０Ｃでは、器具本体２０の底板２４と鍔部２６との間に反射面３２（図２参照）を設けていない。このため、器具本体２０の底板２４と鍔部２６とが同一面となる。
【００３２】
以上、説明した第３実施形態の照明器具１０Ｃによれば、パッケージ基板２８の外周部に設けられている第２ＬＥＤユニット２９２から鍔部２６側に照射された光のうち、一部が上向きに照射される（光ＬＢ４）。この光ＬＢ４は、鍔部２６の下面２６１で反射して、外側斜め下方へ照射される（光ＬＢ５）。
これにより、鍔部２６の下面および鍔部２６の外側が明るくなるので、照明器具１０Ｃと周囲との明暗差を小さくすることができる。
【００３３】
（第４実施形態）
次に、第４実施形態の照明器具について説明する。
なお、前述した第１実施形態の照明器具１０Ａないし第３実施形態の照明器具１０Ｃと共通する部位には同じ符号を付して、重複する説明を省略することとする。
図７に示すように、第４実施形態の照明器具１０ＤのＬＥＤパッケージ２１Ｄでは、鍔部２６側に向かって光を照射する第２ＬＥＤユニット２９２が、最外列ではなく、例えば外側から２列目に配置されている。そして、最外列には、下方に光を照射する第１ＬＥＤユニット２９１が配置されている。
さらに、図４（Ｃ）において前述した外側斜め下方へ光を照射する第３ＬＥＤユニット２９３を、例えば第２ＬＥＤユニット２９２の内側に設けることができる。
【００３４】
以上、説明した第４実施形態の照明器具１０Ｄによれば、第２ＬＥＤユニット２９２および第３ＬＥＤユニット２９３から外向きに光が照射される。
これにより、鍔部２６の下面および鍔部２６の外側が明るくなるので、照明器具１０Ｄと周囲との明暗差を小さくすることができる。
【００３５】
本発明の照明器具は、前述した各実施形態に限定されるものでなく、適宜な変形、改良等が可能である。
【符号の説明】
【００３６】
１０Ａ、１０Ｂ、１０Ｃ、１０Ｄ  照明器具
１１  天井材
１１１  天井面（表面）
１２  取付孔
２０  器具本体
２１Ａ、２１Ｄ  ＬＥＤパッケージ（発光部）
２６  鍔部
２６１  下面（鍔部の表面）
２８  パッケージ基板（回路基板）
２９１  第１ＬＥＤユニット（第１ＬＥＤ）
２９２  第２ＬＥＤユニット（第２ＬＥＤ）
３２  反射面
ＬＢ  光軸
【図１】
2014222584.tif 000003
【図２】
2014222584.tif 000004
【図３】
2014222584.tif 000005
【図４】
2014222584.tif 000006
【図５】
2014222584.tif 000007
【図６】
2014222584.tif 000008
【図７】
2014222584.tif 000009
【図８】
2014222584.tif 000010